(57)【要約】【課題】冬期のような寒冷時において、暖房機器の使用による高額な光熱費や一酸化炭素中毒の危険の発生を防止しつつ、通常の寝具に近い就寝中及び就寝前後の快適性を維持する寝具を提供すること。【解決手段】本考案による寝具１０は、表地１１と、表地１１の内側のワタと、表地１１の内側の特定の領域内に前記ワタを保持するための複数の縫い目１２ａ〜１２ｋを備えている寝具であって、表地１１と前記ワタから構成される、使用者の腕を通すための少なくとも一つの袖部１４，１５を有する、使用者の上に掛けるための寝具である。【選択図】図１
0003213630.tif 000002
【実用新案登録請求の範囲】
【請求項１】
表地と、
前記表地の内側のワタ
を備えている寝具であって、
前記表地と前記ワタから構成される、使用者の腕を通すための少なくとも一つの袖部を有する、
使用者の上に掛けるための寝具。
【請求項２】
前記表地の内側の特定の領域内に前記ワタを保持するための複数の縫い目をさらに備えている、請求項１に記載の寝具。
【請求項３】
前記袖部の終端から前記寝具の上方に出される使用者の手を入れるための少なくとも一つの第一の穴と、使用者の脚を前記寝具の上方に出すための少なくとも一つの第二の穴をさらに有する、請求項１又は２に記載の寝具。
【請求項４】
前記第二の穴から前記寝具の外部に出された使用者の脚の足先を前記寝具の下方に入れるための少なくとも一つの第三の穴をさらに有する、請求項１乃至３のいずれかに記載の寝具。
【請求項５】
前記袖部に使用者が完全に腕を通した際に使用者の肩に接触する表地の部分の内側に少なくとも一つの肩パッドをさらに備えている、請求項１乃至４のいずれかに記載の寝具。
【考案の詳細な説明】
【技術分野】
【０００１】
本考案は寝具に関し、特に被服の特徴を有する寝具に関する。
【背景技術】
【０００２】
就寝の際には、ベッドや敷き布団の上に人が仰向けに寝て、その上に掛け布団を掛けることが一般的であるが、わが国の本州における冬期のような寒冷な時期には、通常の掛け布団を使用しただけでは就寝に耐え得る程の暖かさが得られないため、室内において別途エアコンやストーブのような暖房機器を使用する必要がある。
【０００３】
しかし、冬期における電気暖房機器の使用は高額な電気料金を必要とし、一方石油やガスを燃焼させる暖房機器は一酸化炭素中毒又は二酸化炭素中毒の危険があって就寝中の使用に適していない。また、暖房機器の使用を回避するためにキャンプ用の寝袋を使用することは、就寝中や就寝前後の快適性を失うことになる。
【０００４】
そこで、暖房機器の使用による光熱費の高額化や一酸化炭素中毒の危険を回避しながらも、通常の寝具に近い使用時の快適性を維持する寝具の開発が求められている。
【考案の開示】
【考案が解決しようとする課題】
【０００５】
本考案が解決しようとする課題は、冬期のような寒冷時において、暖房機器の使用による高額な光熱費や一酸化炭素中毒の危険の発生を防止しつつ、通常の寝具に近い就寝中及び就寝前後の快適性を維持する寝具を提供することである。
【課題を解決するための手段】
【０００６】
本考案による寝具は、表地と、前記表地の内側のワタを備えている寝具であって、前記表地と前記ワタから構成される、使用者の腕を通すための少なくとも一つの袖部を有する、使用者の上に掛けるための寝具であることにより、上記課題を解決する。
【０００７】
前記寝具は、前記表地の内側の特定の領域内に前記ワタを保持するための複数の縫い目をさらに備えていてもよい。
【０００８】
前記寝具は、前記袖部の終端から前記寝具の上方に出される使用者の手を入れるための少なくとも一つの第一の穴と、使用者の脚を前記寝具の上方に出すための少なくとも一つの第二の穴をさらに有していてもよい。
【０００９】
前記寝具は、前記第二の穴から前記寝具の外部に出された使用者の脚の足先を前記寝具の下方に入れるための少なくとも一つの第三の穴をさらに有していてもよい。
【００１０】
前記寝具は、前記袖部に使用者が完全に腕を通した際に使用者の肩に接触する表地の部分の内側に少なくとも一つの肩パッドをさらに備えていてもよい。
【考案の効果】
【００１１】
本考案による寝具は、従来の寝具にはない袖部を有するため、寒冷時に使用者が動いた場合であっても使用者の両腕に接する袖部に暖かさを保持することができる。また、二つの袖部に挟まれた部分は使用者の胸部に接するため、寒冷時に使用者が動いた場合であっても使用者の胸部に接する寝具の部分にも暖かさを保持することができ、その結果使用者の上半身全体に暖かさを感じさせることが可能である。
【００１２】
また、本考案の寝具によれば、使用者は圧迫感を感じることがない一方で、通常の掛け布団のように寝具を蹴散らしてしまうことがない。通常の掛け布団であれば、仰向けに寝ながら本を読む際に掛け布団から出ることになって寒さを感じるが、本考案の寝具を使用する使用者は胴体が寝具の下にあって腕を寝具の袖部により保温された状態にて本を読むことができる。
【００１３】
さらに、本考案の寝具は使用者が袖部に腕を通した状態にて歩き回ることも可能である。そのため、通常の寝具としての利用のみならず、待機中の防寒具としての使用も可能であると考えられる。
【考案を実施するための最良の形態】
【００１４】
以下、図面を参照しながら本考案の実施の形態について説明する。
【実施例１】
【００１５】
図１は、本考案による寝具の平面図を示す。本考案による寝具１０は、従来の掛け布団に代えて使用するためのものであるが、使用者の両腕を通すための袖部１４，１５を備えている点において、従来の掛け布団とは大きく異なる。
【００１６】
寝具１０は表地１１と図示しない内部のワタを備えており、袖部１４，１５に加えて、切り欠き等の加工が施された首周り１３と、手を入れるための細穴１９，２０と、足を出し入れするための細穴２１，２２をさらに有する。細穴１９〜２２には、使用されないときに閉じるためのファスナーがそれぞれ取り付けられていてもよい。
【００１７】
好適には、寝具１０はダウンジャケットと同様の材質から構成され、表地１１がポリエステル又は綿製の滑りやすい布地であり、表地１１の内側のワタは綿又はポリウレタン製の伸縮性及び弾力性を有する材料からなる。ここで言う「ワタ」は一般に「綿」と表記されることが多いが、本明細書においては、天然繊維である綿と区別して、合成繊維を含む各種素材から構成され得る弾力性及び保温性を有するクッション材を総称するものとして「ワタ」の語を使用する。表地１１に滑りやすい布地を使用した場合には、使用者は袖部１４，１５に腕を通したまま動きやすい。また、表地１１の内側に弾力性のある材料を使用することにより、寝具１０を圧縮して持ち運びすることが可能になる。
【００１８】
寝具１０の材質は上述のものに限られず、麻、羽毛、羊毛等の各種天然繊維や、ナイロン、ポリエステル、ポリエチレン等の各種合成繊維又は合成樹脂が、表地及び内部に使用され得る。なお、表地とワタは例えば毛布（羊毛製又はポリエステル製）のような同一の材質であってもよく、例えば合成樹脂製スポンジのように表地とワタが一体成形されていてもよい。
【００１９】
好適には、寝具１０はダウンジャケットと同様に複数の縫い目１２ａ〜１２ｋを有する。これらの縫い目１２ａ〜１２ｋは、内部のワタが寝具１０の内部を自由に移動しないようにすることにより、寝具１０の内部においてある程度均一にワタを分散させるためのものである。寝具１０の袖部１４，１５も、同様の目的のために縫い目１６ａ〜１６ｃ、縫い目１６ｄ〜１６ｆをそれぞれ備えている。縫い目１２ａ〜１２ｋ，１６ａ〜１６ｆは、好適には工業用ミシンを使用した本縫いによるものであるが、これ以外の縫い方であってもよい。また、縫い目１２ａ〜１２ｋ，１６ａ〜１６ｆに使用する糸の材質は任意である。
【００２０】
好適には、寝具１０は使用者の両肩を固定するための二つの肩パッドを、点線２６ａ，２６ｂにそれぞれ囲まれた部分の内部に備えている。この肩パッドは、好適には洋裁材料として市販されているような、内部にスポンジ状の合成樹脂を備えていて表面が布地により覆われているものであるが、これに限られない。使用者が袖部１４，１５に腕を通すことにより使用者の両肩の位置はある程度固定されるが、寝具１０が肩パッドを備えている場合にはより良好に使用者の両肩の位置を固定することができ、使用者の就寝中における寝具１０のズレが防止される。
【００２１】
また好適には、寝具１０は開襟のためのファスナー２９を備えている。ファスナー２９は、使用者が首周りに圧迫感を感じた場合に寝具１０による締め付けを緩めるために開くことができ、使用者が寒さ等のために首周りへの空気の流入を防ぎたい場合には閉じることができるものである。ファスナー２９の仕様は、通常衣服や布団カバーに使用されているような金属又は合成樹脂の留め具と布地の組み合わせで良く、寝具１０におけるファスナー２９と周りの部分の接合は糸による縫い付け等により行われる。
【００２２】
図２は、本考案による寝具の底面図を示す。使用時における下方から見ると、寝具１０は各袖部１４，１５の入口２３，２４を有することが分かり、入口２３，２４は被服の袖刳（そでぐり）に相当する。周辺部１１、縫い目１２ａ〜１２ｋ、首周り１３及び細穴１９〜２２については、図１と同様であるため説明は省略する。
【００２３】
図３は、本考案による寝具の斜視図を示す。図示の便宜上、袖部１４の向きは図１及び図２のものと異なっているが、袖部１４，１５は可動であるため図３のような向きをも有し得ることは自明である。図３に示されるように、首周り１３は寝具１０の他の部分と比較して大きな厚みを有していてもよい。好適には、首周り１３には使用者の首との隙間から寝具１０の下に空気が入らないような角度が付けられている。
【００２４】
図４は、本考案による寝具の使用状態を示す説明平面図である。図４は、使用者３０が寝具１０を自分の身体の上に掛けて床又は敷き布団の上に仰向けに寝ている状態を示す。図４に示されるように、寝具１０の使用者３０は、自己の頭部３１を首周り１３から出した状態にて寝具１０を自分の身体の上に掛けている。通常の掛け布団とは異なり、使用者３０は両腕を袖部１４，１５にそれぞれ通して手３２，３３を袖口１７，１８からそれぞれ上方（寝ている使用者３０から見て上の空間）に出している。
【００２５】
また、使用者３０は自己の両脚３４，３５を細穴２１から寝具１０の上（寝ている使用者３０から見て上）に出し、さらに細穴２２を通じて両脚の足先３４ａ，３５ａを寝具１０の下に入れている。これにより、使用者３０は両脚３４，３５の動きについてある程度の自由度を得る一方、足先３４ａ，３５ａを寝具１０の下に入れることにより就寝中に足先３４ａ，３５ａが冷えることを防止している。なお、使用者３０は足先３４ａ，３５ａが蒸れることを防止するために、細穴２２を使用せずに足先３４ａ，３５ａを寝具１０の上に置いてもよい。
【００２６】
図５は、本考案による寝具の使用状態を示す部分斜視図である。図４及び図５において、点線により示される足先３４ａ，３５ａは本来寝具１０に隠されて見えない部分であり、説明の便宜上点線により図示されているに過ぎない。足先３４ａ，３５ａの暖かさを確保するために、寝具１０は先端２５において二つ折りにされていてもよい。
【産業上の利用可能性】
【００２７】
寝具、特に掛け布団に利用することができる。また、各種被服への適用も考えられる。
【図面の簡単な説明】
【００２８】
【図１】本考案による寝具の平面図を示す。
【図２】本考案による寝具の底面図を示す。
【図３】本考案による寝具の斜視図を示す。
【図４】本考案による寝具の使用状態を示す説明平面図である。
【図５】本考案による寝具の使用状態を示す部分斜視図である。
【符号の説明】
【００２９】
１０  寝具
１１  表地
１２ａ〜１２ｋ，１６ａ〜１６ｆ  縫い目
１３  首周り
１４，１５  袖部
１７，１８  袖口
１９〜２２  細穴
２５  先端
２９  ファスナー
３０  使用者
３１  頭部
３４，３５  脚
３４ａ，３５ａ  足先
【図１】
0003213630.tif 000003
【図２】
0003213630.tif 000004
【図３】
0003213630.tif 000005
【図４】
0003213630.tif 000006
【図５】
0003213630.tif 000007
【手続補正書】
【提出日】平成29年9月26日(2017.9.26)
【手続補正１】
【補正対象書類名】実用新案登録請求の範囲
【補正対象項目名】請求項４
【補正方法】変更
【補正の内容】
【請求項４】
前記第二の穴から前記寝具の外部に出された使用者の脚の足先を前記寝具の下方に入れるための少なくとも一つの第三の穴をさらに有する、請求項３に記載の寝具。